(57)【特許請求の範囲】
【請求項１】
ベースプレート３５に長手方向に間隔をおいて複数のねじ杆３６の下部が固定され、前記ねじ杆３６の中間部には、下部の支持ナット３７と、上部の抑えナット３８が螺合されてレベル調整支持金具３９が構成され、一対のレベル調整支持金具３９を、捨てコンクリート２６の周囲に沿ってその側縁部から離れた位置において間隔を置いて平行に、周縁部の低レベル位置の捨てコンクリート２６の上面に載置し、かつ前記一対のレベル調整支持金具３９におけるベースプレート３５に直角に交差するように、前記下部の各支持ナット３７に支持させるように基礎鉄骨支承部材４０が載置され、前記各ねじ杆３６に螺合した上部の抑えナット３８により、前記レベル調整支持金具３９に渡って基礎鉄骨支承部材４０が上下位置調整自在に固定され、前記基礎鉄骨支承部材４０には、基礎鉄骨固定用のボルト挿通用透孔が設けられて、基礎鉄骨用高さ調整支持具４１が構成され、前記基礎鉄骨用高さ調整支持具４１が捨てコンクリート２６の周囲に沿って間隔をおいて設置され、基礎鉄骨用高さ調整支持具４１における基礎鉄骨支承部材４０に渡って基礎鉄骨５が載置されて所定の高さに設けられ、その基礎鉄骨５を埋め込むように鉄筋コンクリート製床スラブ基礎１が一体に設けられて、鋼・コンクリート製床スラブ基礎６とされ、前記基礎鉄骨５に薄板軽量形鋼からなる下部枠材１１を備えた壁枠パネル３における前記下部枠材１１が載置されて固定されていることを特徴とする壁枠パネルと床スラブ基礎との結合構造。
【請求項２】
ベースプレート３５に長手方向に間隔をおいて複数のねじ杆３６の下部が固定され、前記ねじ杆３６の中間部には、下部の支持ナット３７と、上部の抑えナット３８が螺合されてレベル調整支持金具３９が構成され、前記レベル調整支持金具３９を捨てコンクリート２６の外周部に直角に配置すると共に外周部に沿ってほぼ平行に多数、周縁部の低レベル位置の捨てコンクリート２６の上面に設置し、前記多数のレベル調整支持金具３９における外側の各支持ナット３７に、基礎鉄骨支承部材４０が載置され、かつ前記多数のレベル調整支持金具３９における内側の各支持ナット３７に、基礎鉄骨支承部材４０が載置され、さらに前記基礎鉄骨支承部材４０には、基礎鉄骨固定用のボルト挿通用透孔が設けられて、基礎鉄骨用高さ調整支持具４１が構成され、前記基礎鉄骨用高さ調整支持具４１が捨てコンクリート２６の周囲に沿って設置され、前記各基礎鉄骨支承部材４０に直角に跨るように短尺の埋め込み基礎鉄骨５における下部フランジ３０が載置されると共に、その下部フランジ３０の長手方向に間隔を置いて設けた各透孔に、前記ベースプレート３５に固定の各ねじ杆３６がそれぞれ挿入されて、上部抑えナット３８により各基礎鉄骨支承部材４０および埋め込み基礎鉄骨５が固定されて、前記基礎鉄骨５が所定の高さに設けられ、その基礎鉄骨５を埋め込むように鉄筋コンクリート製床スラブ基礎１が一体に設けられて、鋼・コンクリート製床スラブ基礎６とされ、その鋼・コンクリート製床スラブ基礎６における基礎鉄骨５に、所定の梁せい高さの腰部用鉄骨７における下部フランジ８が載置されて固定され、その腰部用鉄骨７の上部フランジ９に、薄板軽量形鋼からなる下部枠材１１を備えた壁枠パネル３における前記下部枠材１１が載置されて、ボルト１０により腰部用鉄骨７に固定されていることを特徴とする壁枠パネルと床スラブ基礎との結合構造。
【請求項３】
基礎鉄骨５が溝形鋼またはＨ形鋼などの形鋼により構成されていることを特徴とする請求項１または２に記載の壁枠パネルと床スラブ基礎との結合構造。
【請求項４】
腰部用鉄骨７が溝形鋼またはＨ形鋼などの形鋼により構成されていることを特徴とする請求項２に記載の壁枠パネルと床スラブ基礎との結合構造。
【請求項５】
基礎鉄骨５が基礎鉄骨用高さ調整支持具４１を介して高さ調整可能に支持されていることを特徴とする請求項１〜４のいずれかに記載の壁枠パネルと床スラブ基礎との結合構造。
【請求項６】
上下方向に位置調節自在に支持された基礎鉄骨支承部材４０に基礎鉄骨５の下部が固定されて、基礎鉄骨５が上下位置調節自在に設けられていることを特徴とする請求項１〜５のいずれかに記載の壁枠パネルと床スラブ基礎との結合構造。
【発明の詳細な説明】
【０００１】
【発明の属する技術分野】
本発明は、低層用建物用に適した壁枠パネルと床スラブ基礎との結合構造に関する。
【０００２】
【従来の技術】
従来、低層用建物にも採用されている工法として鉄骨軸組み工法があり、その鉄骨軸組み工法に採用されている基礎構造として、図１２（ａ）に示すような構造が知られている。この構造は、独立した鉄筋コンクリート製基礎５０を構築し、その鉄筋コンクリート製基礎５０の内側に、土間コンクリート５１を設け、前記鉄筋コンクリート製基礎５０に柱５２を立設させ、柱５２の上部に渡ってＨ形鋼からなる上部梁材５３を架設し、柱５２間には壁下地材５４を設ける構造形式であり、この場合は、鉄筋コンクリート製基礎５０用の型枠の配設およびコンクリートの打設ならびに脱型と、土間コンクリート５１の打設とを、別個に施工しなけれならないので、基礎の施工に手間がかかり、施工コストが高価になるという問題がある。
【０００３】
一方、コンビニエンス・ストア等の比較的地表面に近い部位に１階フロアを設ける低層店舗用建物等に適用可能な構造として、スチールハウス（板厚１ｍｍ前後の薄板軽量形鋼による枠材と構造用面材による鉄鋼系パネル構造の建物）の構造がある。
【０００４】
前記のスチールハウスにおいては、天井部枠材を構成する単体枠材からなる天井根太や、パネル化した壁枠をはじめ、建物全体の架構が薄鋼板製の溝形鋼、ボックス形鋼（これらを鋼板製枠材という）で構成することが多く、そのメリットとしては、軽量、耐火性、高強度、施工性などがある。
【０００５】
このように、薄鋼板製部材を使用した薄板構造は、溶接加工を必要とせず、切断あるいは穴あけ加工が簡単で、部材が軽く人手で運搬できるため作業効率も高く、低層の構造分野では経済的な構造である。
【０００６】
前記のスチールハウスに従来採用されている基礎構造としては、図１２（ｂ）〜（ｄ）に示すような基礎構造がある。図１２（ｂ）に示す構造は、布基礎形式の基礎構造で、この構造では、土間コンクリート５１と布基礎を併用させた布基礎兼用土間コンクリート５５を打設して、その布基礎兼土間コンクリート５５を構築した後、その布基礎兼土間コンクリート５５上に、スチールハウス用の壁パネル５６を立設する構造で、壁パネル５６と布基礎兼土間コンクリート５５の結合手段として、図１２（ｄ）に示すように、予めアンカーボルト５７の下部をコンクリート５５に埋め込み固定する形態がある。この場合は、予めアンカーボルト５７を型枠や基礎鉄筋に固定する必要があるため、アンカーボルト５７の設置精度の管理が困難であるという問題がある。
【０００７】
また、図１２（ｄ）の場合は、１階床を兼用した布基礎兼土間コンクリート５５に、予め比較的長尺のアンカーボルト５７の下部を埋め込み固定する形式であるが、この形式の場合は、アンカーボルト５７の軸直径の２０倍以上を基礎コンクリート５５に埋設する必要があるので、基礎コンクリート５５の厚さが比較的厚くする必要があり、そのため、地盤の根切りも比較的深くする必要があり、基礎の築造コストが比較的高くなるという問題がある。
【０００８】
また、上屋の天井高さを高くする場合には、定尺の壁枠パネルを使用して施工するためには、図１２（ｃ）に示すように、基礎に一体に鉄筋コンクリート製腰壁５８を築造する場合もあるが、前記の鉄筋コンクリート製腰壁５８を築造するには、前記基礎コンクリート５５と同時に施工することが困難で、腰壁部分を別個に築造することになるので、施工が煩雑であると共に工期が長くかかり、施工コストも高くなるという問題がある。
【０００９】
【発明が解決しようとする課題】
本発明は、定尺のスチールハウス用等の壁枠パネルを所定のレベルに据え付けることができると共に、これを固定する基礎構造を比較的簡単に施工し、しかも壁枠パネルと基礎とを簡単に強固に結合でき、施工も比較的容易で施工コストを低減することができ、比較的短工期で施工することができる壁枠パネルと床スラブ基礎との結合構造を提供することを目的とするものである。
【００１０】
【課題を解決するための手段】
前記の課題を解決するため、請求項１の発明の壁枠パネルと床スラブ基礎との結合構造においては、ベースプレート３５に長手方向に間隔をおいて複数のねじ杆３６の下部が固定され、前記ねじ杆３６の中間部には、下部の支持ナット３７と、上部の抑えナット３８が螺合されてレベル調整支持金具３９が構成され、一対のレベル調整支持金具３９を、捨てコンクリート２６の周囲に沿ってその側縁部から離れた位置において間隔を置いて平行に、周縁部の低レベル位置の捨てコンクリート２６の上面に載置し、かつ前記一対のレベル調整支持金具３９におけるベースプレート３５に直角に交差するように、前記下部の各支持ナット３７に支持させるように基礎鉄骨支承部材４０が載置され、前記各ねじ杆３６に螺合した上部の抑えナット３８により、前記レベル調整支持金具３９に渡って基礎鉄骨支承部材４０が上下位置調整自在に固定され、前記基礎鉄骨支承部材４０には、基礎鉄骨固定用のボルト挿通用透孔が設けられて、基礎鉄骨用高さ調整支持具４１が構成され、前記基礎鉄骨用高さ調整支持具４１が捨てコンクリート２６の周囲に沿って間隔をおいて設置され、基礎鉄骨用高さ調整支持具４１における基礎鉄骨支承部材４０に渡って基礎鉄骨５が載置されて所定の高さに設けられ、その基礎鉄骨５を埋め込むように鉄筋コンクリート製床スラブ基礎１が一体に設けられて、鋼・コンクリート製床スラブ基礎６とされ、前記基礎鉄骨５に薄板軽量形鋼からなる下部枠材１１を備えた壁枠パネル３における前記下部枠材１１が載置されて固定されていることを特徴とする。
【００１１】
また、請求項２の発明では、請求項１に記載の壁枠パネルと床スラブ基礎との結合構造において、ベースプレート３５に長手方向に間隔をおいて複数のねじ杆３６の下部が固定され、前記ねじ杆３６の中間部には、下部の支持ナット３７と、上部の抑えナット３８が螺合されてレベル調整支持金具３９が構成され、前記レベル調整支持金具３９を捨てコンクリート２６の外周部に直角に配置すると共に外周部に沿ってほぼ平行に多数、周縁部の低レベル位置の捨てコンクリート２６の上面に設置し、前記多数のレベル調整支持金具３９における外側の各支持ナット３７に、基礎鉄骨支承部材４０が載置され、かつ前記多数のレベル調整支持金具３９における内側の各支持ナット３７に、基礎鉄骨支承部材４０が載置され、さらに前記基礎鉄骨支承部材４０には、基礎鉄骨固定用のボルト挿通用透孔が設けられて、基礎鉄骨用高さ調整支持具４１が構成され、前記基礎鉄骨用高さ調整支持具４１が捨てコンクリート２６の周囲に沿って設置され、前記各基礎鉄骨支承部材４０に直角に跨るように短尺の埋め込み基礎鉄骨５における下部フランジ３０が載置されると共に、その下部フランジ３０の長手方向に間隔を置いて設けた各透孔に、前記ベースプレート３５に固定の各ねじ杆３６がそれぞれ挿入されて、上部抑えナット３８により各基礎鉄骨支承部材４０および埋め込み基礎鉄骨５が上下位置調整自在に固定されて、前記基礎鉄骨５が所定の高さに設けられ、その基礎鉄骨５を埋め込むように鉄筋コンクリート製床スラブ基礎１が一体に設けられて、鋼・コンクリート製床スラブ基礎６とされ、その鋼・コンクリート製床スラブ基礎６における基礎鉄骨５に、所定の梁せい高さの腰部用鉄骨７における下部フランジ８が載置されて固定され、その腰部用鉄骨７の上部フランジ９に、薄板軽量形鋼からなる下部枠材１１を備えた壁枠パネル３における前記下部枠材１１が載置されて、ボルト１０により腰部用鉄骨７に固定されていることを特徴とする。
【００１２】
さらにまた、第３の発明では、請求項１または２に記載の壁枠パネルと床スラブ基礎との結合構造において、前記基礎鉄骨５が溝形鋼またはＨ形鋼などの形鋼により構成されていることを特徴とする。
【００１３】
なおまた、第４の発明では、請求項２に記載の壁枠パネルと床スラブ基礎との結合構造において、腰部用鉄骨７が溝形鋼またはＨ形鋼などの形鋼により構成されていることを特徴とする。
【００１４】
また、第５の発明では、請求項１〜４のいずれかに記載の壁枠パネルと床スラブ基礎との結合構造において、前記基礎鉄骨５が基礎鉄骨用高さ調整支持具４１を介して高さ調整可能に支持されていることを特徴とする。
【００１５】
さらに、第６の発明は、請求項５に記載の壁枠パネルと床スラブ基礎との結合構造において、上下方向に位置調節自在に支持された基礎鉄骨支承部材４０に基礎鉄骨５の下部が固定されて、基礎鉄骨５が上下位置調節自在に設けられていることを特徴とする。
【００１６】
【発明の実施の形態】
本発明の実施形態を図を参照して説明する。
【００１７】
図１および図２は、本発明の壁枠パネルと床スラブ基礎との結合構造の第１参考形態を示し、図１は、基礎および建物全体を示す縦断正面図であり、図２は図１の一部を拡大して示す縦断正面図である。図１１は、本発明において使用される壁パネル３の一実施形態を示す図である。
【００１８】
スチールハウスに使用されている壁枠パネル３の一例として、例えば図１１に示す構造のパネルが使用される。
この壁枠パネル３は、厚さ１ｍｍ前後の薄鋼板に、ロールフォーミング等により折り曲げ加工が施されて、薄鋼板製の溝形鋼あるいは矩形断面のスタッド材が形成され、前記溝形鋼を、上向き開口の下部溝形枠材１１として配置すると共に、これに間隔をおいて対向するように下向き開口の上部溝形枠材１２として配置し、前記各下部溝形枠材１１と上部溝形枠材１２の端部側に、前記と同様な薄鋼板製の側部溝形枠材１３を配置し、かつ前記下部溝形枠材１１と上部溝形枠材１２の部材長手方向の中間部に、一つまたは複数のスタッド材１４を配置し、これらの片面または両面に、薄鋼板または薄鋼板と木製合板とを重合させてサンドウィッチ構造にした構造用面材１５を配設して、前記上部溝形枠材１２または下部溝形枠材１１と、側部溝形枠材１３またはスタッド材１４の端部重合部にドリリングタッピングねじ等のファスナー２３により固定する構造の鋼製壁枠パネルである。
【００１９】
このように壁枠パネル３がプレキャスト化されていると、現場に建て込んでアンカーボルトなどにより固定するだけで、壁部が形成できるので、安価に外壁または内壁部が構築でき、施工性がよいという利点がある。
【００２０】
前記の壁枠パネル３、特に壁枠パネル３における下部溝形枠材１１と基礎１との結合を、簡単に施工し、かつ強固に固定するために、この実施形態では、後施工のアンカーと、ホールダウン金物１６を採用している。
【００２１】
後施工のアンカーの一例としては、壁枠パネル３を立設する前に、土間コンクリートを兼用した鉄筋コンクリート製床スラブ基礎１の周縁部に沿って多数の縦穴１７を所定の深さに穿設し、その各縦孔１７に、上部に雄ねじ軸部を有すると共に下部に拡径用コーンおよびその外側に拡径スリーブを有するアンカー材を圧着固定する等により鉄筋コンクリート製床スラブ基礎１に固定して構成した上部雄ねじ付きアンカー材１８を設け、前記アンカー材１８の雄ねじ部を壁枠パネル３の下部枠材１１の透孔に挿通し、厚板座金２０を介在させてナット１９により鉄筋コンクリート製床スラブ基礎１に立設固定する。このようにすると、アンカー材をコンクリート打設後に位置決めして決めるので、精度が高く、作業効率も高くなる。
【００２２】
またこの場合、下部枠材１１の中間部では、適宜厚板座金を介して鉄筋コンクリート製床スラブ基礎１に固定し、下部枠材１１の下面板に大きな曲げモーメントが作用しないように構成され、壁枠パネル３の端部側の側部溝形枠材１３または中間部のスタッド材１４では、側部溝形枠材１３または必要に応じ中間部のスタッド材１４に固定される高剛性のホールダウン金物１６により固定される。
【００２３】
図２に示されているホールダウン金物１６では、垂直な縦部分２１と水平な横部分２２とを一体に屈折連設した全体としてほぼＬ字状で、前記縦部分２１および横部分２２には、一体に補強用側板を備えた断面ほぼコ字状で、前記横部分２２には、アンカーボルト挿通用縦透孔を備えており、また前記垂直な縦部分２１には、上下方向に間隔を置いて複数のドリリングタッピンねじ打ち込み用横孔を備えており、前記横部分２２は鉄筋コンクリート製床スラブ基礎１に固定のアンカー材１８により前記下部枠材１１を押圧するように固定され、前記縦部分２１は側部溝形枠材１３または中間のスタッド材１４にドリリングタッピングねじあるいはブラインドリベット等のファスナー２３により固定され、側部溝形枠材１３または中間スタッド材１４からの荷重を鉄筋コンクリート製床スラブ基礎１に伝達するように構成されている。
【００２４】
また、図１および図２に示す参考形態では、地盤２４を平面矩形状等に、比較的浅く根切りした後、砕石層２５を設け、その砕石層２５の上に、捨てコンクリート２６を打設し、その捨てコンクリート２６の上に、平面矩形状に鉄筋コンクリート製床スラブ基礎１を構築している。この鉄筋コンクリート製床スラブ基礎１は、１階の土間コンクリートを兼ねた土間兼用鉄筋コンクリート製床スラブ基礎１で、前記スラブ基礎１にける周縁部の厚層部３４の横方向の巾寸法Ｄは、地耐力を高める場合には、適宜広巾寸法に設定される。１階のみからなる建物などの店舗用低層建物では、このように土間兼用鉄筋コンクリート製床スラブ基礎１とすると、経済的に基礎を構築することができ、また、１階のみからなる建物等の店舗用低層建物では、風や地震によるアンカー材１８の引き抜きが生じないことが多いので、アンカー材１８の長さは１５ｃｍ〜２５ｃｍあれば良く、基礎を浅くできる効果もあり、基礎を経済に築造することができる。
【００２５】
（第２参考形態）
図３（ａ）および（ｂ）に示す第２参考形態では、地盤２４を比較的浅く根切りした後、砕石層２５を設け、その砕石層２５の上に捨てコンクリート２６を打設し、その捨てコンクリート２６の周縁部に、溝形鋼からなる基礎鉄骨５をほぼ平面矩形環状等の閉鎖環状等に載置する共に、前記基礎鉄骨５におけるウエブ部３４を外側に、かつ前記溝形鋼にける溝部２９が内側になるように、下部フランジ３０を前記捨てコンクリート２６に載置し、しかも溝形鋼における上部フランジ３１の巾方向の中央部に、部材長手方向に間隔をおいて多数のボルト数通用透孔が設けられ、前記上部フランジ３１における下面に、前記ボルト挿通用透孔に結合用ボルト３２が挿通されると共に、前記上部フランジ３１の下面に前記結合用ボルト３２の頭部が予め仮溶接等により同心状に固着され、前記結合用ボルト３２の上部は、後に基礎鉄骨５に沿って設置される上向き開口の下部溝形枠材１１内に十分位置するように設けられ、ナット３３により固定されるように構成されている。なお、図示を省略するが、前記のように上部フランジ３１の下面に前記結合用ボルト３２の頭部を予め仮溶接する以外に、前記のように上部フランジ３１の下面に前記結合用ボルト３２の頭部を係合させた状態で、上部フランジ３１の上面側から前記結合用ボルト３２を仮固定用ナット（後にナット３３として使用するためのナットで、壁枠パネル３の建て込み時に取り外し、壁枠パネル３の建て込み後に再度結合用ボルト３２に螺合緊締する）で仮固定して、結合用ボルト３２が落下しないようにして、基礎鉄骨５を捨てコンクリート２６に載置してもよい。また、前記の結合用ボルト３２とナット３３の位置関係は、上部フランジ３１の下面に袋ナット等のナット３３を予め固定し、ボルト３２を上からナット３３に螺合するようにしても同様である。このような方法により、アンカー材を必要としないので、コンクリート基礎を薄くでき、経済的となる。また、アンカー材の場合よりも、結合用ボルト３２の精度管理がしやすいので、誤差が生じにくいため、高精度に施工できる。基礎鉄骨５は型枠かわりにもなっているので、型枠を別個に配設する必要がない。
【００２６】
前記基礎鉄骨５を型枠として利用し、前記基礎鉄骨５の内側に、基礎鉄筋を配筋し前記基礎鉄骨５を埋め込むように、土間コンクリートを兼用した基礎コンクリートを基礎鉄骨５の上面付近まで打設して鉄筋コンクリート製床スラブ基礎１を構成し、基礎鉄骨５と前記床スラブ基礎１が一体とした鋼・コンクリート製床スラブ基礎６を形成している。この参考形態では、鉄筋コンクリート製床スラブ基礎１における基礎鉄骨５に直接、壁枠パネル３を固定するので、壁枠パネル３の立て込み精度を高めることができる。なお、その他の構成は、前記参考形態と同様であるので、同様な部分には、同様な符号を付して説明を省略する。
【００２７】
（第１実施形態）
図４（ａ）および（ｂ）は、本発明の第１実施形態を示すものであって、この実施形態では、床スラブ基礎１に埋め込み固定される高さ調整金物およびこれに支持された埋め込み基礎鉄骨を使用した形態を示したもので、まず、高さ調整金物について説明すると、帯状鋼板からなるベースプレート３５の上面に長手方向に間隔をおいて複数（図示の場合は、２つ）のねじ杆３６の下部が溶接により固定され、前記ねじ杆３６の中間部には、下部の支持ナット３７と、上部の抑えナット３８からなる一対のナットが螺合されて、一方のレベル調整支持金具３９が構成され、一対のレベル調整支持金具３９を捨てコンクリート２６の周囲に沿って、かつ側縁部から離れた位置において、間隔を置いて平行に、かつ側縁部に沿って間隔をおいて、周縁部の低レベル位置の捨てコンクリート２６の上面に載置し、かつ前記一対のレベル調整支持金具３９におけるベースプレート３５に直角に交差するように、前記下部の各支持ナット３７に支持させるように断面Ｌ字状等の鋼製基礎鉄骨支承部材４０がねじ杆３６を挿通させるように載置され、前記各ねじ杆３６に螺合した上部の抑えナット３８により、前記レベル調整支持金具３９に渡って基礎鉄骨支承部材４０が上下位置調整自在に固定されている。
【００２８】
前記基礎鉄骨支承部材４０の中間部には、基礎鉄骨固定用のボルト挿通用透孔が設けられて、基礎鉄骨用高さ調整支持具４１が構成されている。
【００２９】
前記の基礎鉄骨用高さ調整支持具４１が、捨てコンクリート２６の周囲に沿って間隔をおいて多数設置され、その基礎鉄骨用高さ調整支持具４１におけるベースプレート３５は、その隅部に設けた縦孔に挿通されて捨てコンクリート２６に固定されるアンカー材４２により固定され、前記各基礎鉄骨用高さ調整支持具４１における基礎鉄骨支承部材４０にわたって、溝形鋼からなる埋め込み基礎鉄骨５の下部フランジ３０が載置されて、埋め込み基礎鉄骨５が捨てコンクリート２６の外周縁部に沿って配置され、前記各埋め込み基礎鉄骨５の下部フランジ３０と前記基礎鉄骨支承部材４０とは、ボルト・ナット４３により強固に一体化されている。
【００３０】
なお前記埋め込み基礎鉄骨５における上部フランジ３１と、下部フランジ３０に渡って、適宜鋼板製の縦補強プレート４４が配置されて、上下のフランジ３０，３１およびウエブ２８に溶接等により固定されている。
【００３１】
基礎鉄筋が配筋されて、前記埋め込み基礎鉄骨５の上面レベルを基準とするように、かつこれを埋め込むように、基礎兼土間コンクリートが前記埋め込み基礎鉄骨５の上面レベル付近まで打設されて、埋め込み基礎鉄骨５が鉄筋コンクリート製床スラブ基礎１に埋め込み固定されている。また、前記溝形鋼からなる埋め込み基礎鉄骨５には、その上部フランジ３１にフランジ長手方向に間隔をおいて多数のボルト挿通用透孔が予め設けられ、かつ前記上部フランジ３１の下面に、部材長手方向に間隔をおいて多数の結合用ボルト３２の雄ねじ軸部が前記透孔に挿通された状態で、結合用ボルト３２の頭部が溶接により固定され、前記結合用ボルト３２における雄ねじ軸部は、壁枠パネル３における下部溝形枠材１１のボルト挿通用透孔に挿通されると共に、前記埋め込み基礎鉄骨５の上面に下部溝形枠材１１が載置されると共に適宜押え座金２０が嵌合載置され、前記雄ねじ軸部に螺合されたナット３３により、下部溝形枠材１１が固定されている。
【００３２】
この実施形態では、埋め込み基礎鉄骨５は、基礎鉄骨用高さ調整支持具４１によりレベル調整されるので、捨てコンクリート２６の上面に多少の不陸が存在していても、基礎鉄骨用高さ調整支持具４１により所定のレベルに高さ調整した状態で設置することができる。
【００３３】
また、埋め込み基礎鉄骨５が、前記実施形態よりもさらに床スラブ基礎１に被覆されているので、埋め込み基礎鉄骨５が腐食するおそれを少なくすることができる。その他の構成は、前記実施形態の場合と同様であるので、同様な要素には同様な符号を付して説明を省略する。
【００３４】
（第２実施形態）
図５は本発明の第２実施形態を示すものであって、埋め込み基礎鉄骨５と、上部の壁枠パネル３との結合手段の他の形態を示すものであって、この形態では、ホールダウン金物１６の垂直な縦部分２１と壁枠パネル３の結合は、図１および図２に示す形態と同様で、ホールダウン金物１６の水平な横部分２２が埋め込み鉄骨５の上部フランジ３１に壁枠パネル３における下部溝形枠材１１を介して載置され、前記上部フランジ３１の下面に固定された結合用ボルト３２が下部溝形枠材１１およびホールダウン金物１６の水平な横部分２２の透孔に挿通され、ナット３３により固定されている。このように、前記図１〜図４に示す形態を組み合わせた形態であり、構造はこれらの形態とほぼ同様であるので、同様な要素には同様な符号を付している。
【００３５】
（第３実施形態）
図６（ａ）および（ｂ）は、本発明の第３実施形態を示すものであって、図４と同様な部分については、同一の符号を付し、相違する点を主に説明する。
この実施形態では、埋め込み鉄骨５より下の構造は、図４と同様で、前記埋め込み鉄骨４の上部に、溝形鋼からなる腰部用鉄骨７における下部フランジ８が載置され、前記埋め込み鉄骨５における上部フランジ９と、前記腰部用鉄骨７における下部フランジ８とが、前記埋め込み鉄骨５に固定の結合用ボルト３２およびこれに螺合されたナット３３により固定され、前記腰部用鉄骨７の上部フランジ９に、壁枠パネル３における下部溝形枠材１１が載置されて、前記腰部用鉄骨７の上部フランジ９の透孔および前記溝形下部枠材１１の透孔および厚板座金２０に渡って挿通されたボルト１０およびこれに螺合されたナット４５により固定されている。
【００３６】
また、壁枠パネル３に固定される外壁パネルを兼ねた構造用合板４６（または構造用面材１５）の下部が、前記腰部用鉄骨７の下部外面を被覆するように配置されて、腰部用鉄骨７におけるウエブ４７にも適宜固定される。この実施形態の場合は、天井高さを高くする必要のある場合の店舗等に採用される。壁枠パネル３は、所定の寸法のものを使用するので、このように腰部用鉄骨７を使用すると、上下方向の長尺の壁枠パネル３を準備することなく、腰部用鉄骨７を利用して、比較的天井高さの高い建物とすることができ、図１２（ｃ）に示すコンクリート製腰壁５８を築造する場合よりも、簡単に施工することができる。
【００３７】
（第４実施形態）
前記各実施形態の場合には、埋め込み基礎鉄骨５を、長尺のものを使用した形態であるが、短尺の埋め込み基礎鉄骨５を使用することもできるので、この形態について、図７の第４実施形態を参照しながら説明する。
【００３８】
まず、基礎鉄骨用高さ調整支持具４１の部分にも特徴があるので、基礎鉄骨用高さ調整支持具４１について説明すると、矩形帯状鋼板からなるベースプレート３５の上面に、ベースプレート３５の長手方向に間隔をおいて複数（図示の場合は、２つ）のねじ杆３６の下部が溶接により固定され、前記ねじ杆３６の中間部には、下部の支持ナット３７と、上部の抑えナット３８からなる一対のナットが螺合されて、レベル調整支持金具３９が構成され、前記レベル調整支持金具３９を捨てコンクリート２６の外周部に直角に配置すると共に外周部に沿ってほぼ平行に多数設置し、前記多数のレベル調整支持金具３９における外側の（外周側に近接した位置の）各支持ナット３７に、山形鋼の一辺における部材長手方向に多数の透孔を設けて構成した直線状の基礎鉄骨支承部材４０が載置され、かつ前記多数のレベル調整支持金具３９における内側の（外周側から離れた内側位置の）各支持ナット３７に、山形鋼の一辺における部材長手方向に多数の透孔を設けて構成した直線状の基礎鉄骨支承部材４０が載置され、前記各基礎鉄骨支承部材４０に直角に跨るように溝形鋼からなる短尺の埋め込み基礎鉄骨５における下部フランジ３０が載置されると共に、その下部フランジ３０の長手方向に間隔を置いて設けた各透孔に、前記ベースプレート３５に固定の各ねじ杆３６がそれぞれ挿入されて、上部抑えナット３８により各基礎鉄骨支承部材４０および埋め込み基礎鉄骨５が固定されている。
【００３９】
また、前記複数の埋め込み基礎鉄骨５の上部フランジ３１にわたって、溝形鋼からなる腰部用鉄骨７における下部フランジ８が直角に交差するように載置されて、前記埋め込み基礎鉄骨５の上部フランジ３１と、前記腰部用鉄骨７における下部フランジ８がボルト１０およびナット４５により固定されている。腰部用鉄骨７と壁枠パネル３との関係は、前記実施形態の場合と同様であるので、同様な部分については、同様な符号を付して説明を省略する。
【００４０】
（第５実施形態）
図７の場合において、腰部用鉄骨７として、図８に示す第５実施形態のように、Ｈ形鋼からなる腰部用鉄骨７あるいはその他の断面形態の腰部用鉄骨７にしてもよい。この場合には、Ｈ形鋼における上部フランジ９および下部フランジ８の巾方向２箇所でボルト・ナットにより固定することもできる。図７および図８に示す実施形態の場合は、埋め込み基礎鉄骨５に適宜補強縦リブを設けてもよい。外壁パネルを兼ねる構造用合板４６（または構造用面材１５）の下部は適宜腰部用鉄骨７またはこれに固定される補強用縦リブに固定される。図８におけるその他の構造は、前記図７に示す形態と同様であるので、同様な部分には同様な符号を付して説明を省略する。
【００４１】
（第３参考形態）
図９は本発明の第８実施形態を示すものであって、この実施形態では、図１および図２に示す形態と同様に、平面矩形状等の鉄筋コンクリート製床スラブ基礎１は土間コンクリートを兼用している。
【００４２】
前記鉄筋コンクリート製床スラブ基礎１を構築した後に、後施工により、前記スラブ基礎１の周縁部上面に、基礎周側部に沿って間隔を置くと共に、室内側および室外側に間隔を置いて多数の縦孔１７が設けられ、前記各縦孔１７に、予めボルト頭部を下側に位置するよう配置すると共に、前記ボルトの下側をエポキシ系接着材等により充填して床スラブ基礎１に埋め込み固定するように、多数の結合用ボルトからなるアンカー材１８が設けられ、前記各アンカー材１８の雄ねじ軸部を、壁パネルの高さ調整を兼ねて、腰壁を兼ねたＨ形鋼からなる腰部用鉄骨７における下部フランジ８の各透孔に挿通するようにして、腰部用鉄骨７を鉄筋コンクリート製床スラブ基礎１に載置して、前記アンカー材１８に螺合緊締したナット４９により、前記腰部用鉄骨７を固定している。
【００４３】
前記腰部用鉄骨７の上部フランジ９の長手方向に沿って、壁枠パネル３を載置して、前記腰部用鉄骨７における上部フランジ９と、前記壁枠パネル３における下部溝形枠材１１とを結合用ボルト１０およびナット４５並びに必要に応じ厚板座金２０を介在させて固定した形態である。なお、必要に応じ、前記した形態と同様にホールダウン金物１６を使用して壁枠パネル３を腰部用鉄骨７に固定するようにしてもよい。
【００４４】
なお、前記Ｈ形鋼からなる腰部用鉄骨７における上部フランジ９と下部フランジ８に渡って、内側または外側あるいは内外両側に、部材長手方向に間隔を置いて適宜縦補強用プレート４４が設けられる。
【００４５】
図１０は第４参考形態を示すものであって、この参考形態では、前記実施形態において使用したＨ形鋼からなる腰部用鉄骨７に代えて、溝形鋼からなる腰部用鉄骨７とした形態で、鉄筋コンクリート製床スラブ基礎１に、前記図９と同様にボルト頭部を下側に位置するように鉄筋コンクリート製床スラブ基礎１に埋め込むようにアンカー材１８を固定し、前記アンカー材１８の上部雄ねじ軸部に、壁パネルの高さ調整を兼ねて、腰壁を兼ねた溝形鋼からなる腰部用鉄骨７におけるウエブ４７を外側（室外側）に配置すると共に、下部フランジ８の各透孔を挿通するように前記床スラブ基礎１に載置して、前記アンカー材１８に螺合緊締したナット４８により、前記腰部用鉄骨７を固定し、前記腰部用鉄骨７の上部に沿って、壁枠パネル３を載置して、前記腰部用鉄骨７における上部フランジ９と、前記壁枠パネル３における下部溝形枠材１１とを結合用ボルト３２およびナット３３により固定した形態である。
【００４６】
なお、この参考形態も前記実施形態と同様に、溝形鋼からなる腰部用鉄骨７における上部フランジ９と下部フランジ８に渡って、内側に、部材長手方向に間隔を置いて適宜補強用縦プレート４４が設けられる。その他の構成は、前記実施形態と同様であるので、同様な要素には、同様な符号を付して説明を省略する。
【００４７】
本発明を実施する場合、埋め込み基礎鉄骨５および腰壁部ようの腰部用鉄骨７としては、リップ付き溝形鋼あるいは、その他の形鋼あるいは組立形鋼を使用するようにしてもよい。
【００４８】
【発明の効果】
請求項１〜６によると、従来のように比較的長尺の予め埋め込み固定するアンカーボルトを必要としないので、基礎を浅く（薄く）でき、基礎の施工コストを安くすることができる。
また、請求項１の発明によると、スチールハウス用等の壁枠パネルを所定のレベルに据え付けることができると共に、これを固定する基礎構造を比較的簡単に構築でき、しかも壁枠パネルを確実に精度よく結合でき、施工も従来の場合より容易にしかも施工コストを低減することができ、施工工期も比較的短工期で施工することができる。また、土間コンクリートと兼用されている鉄筋コンクリート製床スラブ基礎されているので、基礎構造が単純化され、しかも埋め込み基礎鉄骨を埋め込んだ鋼・鉄筋コンクリート製床スラブ基礎とされ、前記基礎鉄骨に固定される薄板軽量形鋼からなる下部枠材を安定した状態で固定することができるため、地震時等に基礎および下部枠材に、無理な曲げモーメントを作用させることがない。
【００４９】
さらに、請求項１の発明によると、基礎鉄骨を使用した鋼・鉄筋コンクリート製床スラブを容易に構築することができ、しかも鉄骨基礎に壁枠パネルを安定した状態で、精度よく建て込むことができ、鋼製部材相互の結合となるので、容易にかつ強固に固定することができる。
また、請求項１および請求項２の発明によると、埋め込み基礎鉄骨は、高さ調整支持具によりレベル調整されるので、捨てコンクリートの上面に多少の不陸が存在していても、高さ調整支持具により所定のレベルに高さ調整した状態で設置することができる。
また、埋め込み基礎鉄骨が、床スラブ基礎に被覆されるので、埋め込み基礎鉄骨が腐食するおそれを少なくすることができる。
【００５０】
また、請求項２の発明によると、単に、腰壁用の腰部用鉄骨を鋼・コンクリート製床スラブ基礎における短尺の基礎鉄骨に載置して固定するだけで、腰壁部を容易に設けることができ、また、薄板軽量形鋼からなる下部枠材１１を備えた壁枠パネルを所定の高レベルに高さ調整して設置することができ、したがって、定尺の壁枠パネルを使用しても、天井高さの高い店舗用低層建築物にも、定尺の安価な壁枠パネルを利用することができ、安価な低層建築物とすることができる。
【００５１】
請求項３および４の発明のように、溝形鋼またはＨ形鋼などの形鋼により基礎鉄骨または腰部用鉄骨を構成すると、汎用性の高い安価な部材により基礎鉄骨または腰部用鉄骨とすることができる。
【００５２】
請求項５および請求項６の発明のように、平坦な捨てコンクリート上に設置された高さ調整支持具またはこれに上下方向に位置調節自在に支持された支承部材を介して基礎鉄骨を仮支持させると、基礎鉄骨を所定のレベルに正確に設置させることができ、これに直接または間接的に固定される壁枠パネルを所定の位置にレベル調整した状態で設置することができる。
【図面の簡単な説明】
【図１】  第１参考形態の壁枠パネルと床スラブ基礎との結合構造を示す概略縦断正面図である。
【図２】  （ａ）図１の一部を拡大して示す縦断正面図、（ｂ）は（ａ）のＡ−Ａ線断面図である。
【図３】  （ａ）は第２参考形態の壁枠パネルと床スラブ基礎との結合構造を示す縦断正面図、（ｂ）は（ａ）のＢ−Ｂ線断面図である。
【図４】  （ａ）は本発明の第１実施形態の壁枠パネルと床スラブ基礎との結合構造を示す縦断正面図、（ｂ）は（ａ）のＣ−Ｃ線断面図である。
【図５】  （ａ）は本発明の第２実施形態の壁枠パネルと床スラブ基礎との結合構造を示す縦断正面図、（ｂ）は（ａ）のＤ−Ｄ線断面図である。
【図６】  （ａ）は本発明の第３実施形態の壁枠パネルと床スラブ基礎との結合構造を示す縦断正面図、（ｂ）は（ａ）のＥ−Ｅ線断面図である。
【図７】  （ａ）は本発明の第４実施形態の壁枠パネルと床スラブ基礎との結合構造を示す縦断正面図、（ｂ）は（ａ）のＦ−Ｆ線断面図である。
【図８】  （ａ）は本発明の第５実施形態の壁枠パネルと床スラブ基礎との結合構造を示す縦断正面図、（ｂ）は（ａ）のＧ−Ｇ線断面図である。
【図９】  （ａ）は第３参考形態の壁枠パネルと床スラブ基礎との結合構造を示す縦断正面図、（ｂ）は（ａ）のＨ−Ｈ線断面図である。
【図１０】  （ａ）は第４参考形態の壁枠パネルと床スラブ基礎との結合構造を示す縦断正面図、（ｂ）は（ａ）のＩ−Ｉ線断面図である。
【図１１】  スチールハウスに使用されている壁枠パネルの一例を示す斜視図である。
【図１２】  （ａ）は従来の軸組み構造形態の基礎構造を示す概略縦断正面図、（ｂ）は従来の壁枠パネルと床スラブ基礎との結合構造を示す概略縦断正面図、（ｃ）は腰壁を設ける場合の従来の形態を示す縦断正面図、（ｄ）は予めアンカーボルトを設ける場合の形態の縦断正面図である。
【符号の説明】
１  鉄筋コンクリート製床スラブ基礎
３  壁枠パネル
４  後打ちアンカーボルト
５  基礎鉄骨
６  鋼コンクリート製床スラブ基礎
７  腰部用鉄骨
８  下部フランジ
９  上部フランジ
１０  溝形鋼あるいはＨ形鋼などの形鋼
１１  下部溝形枠材（下部枠材）
１２  上部溝形枠材
１３  側部溝形枠材
１４  スタッド材
１５  構造用面材
１６  ホールダウン金物
１７  縦孔
１８  アンカー材
１９  ナット
２０  厚板座金
２１  垂直な縦材
２２  水平な横部分
２３  ファスナー
２４  地盤
２５  砕石層
２６  捨てコンクリート
２７  土間兼用鉄筋コンクリート製床スラブ
２８  ウエブ
２９  溝部
３０  下部フランジ
３１  上部フランジ
３２  結合用ボルト
３３  ナット
３４  厚層部
３５  ベースプレート
３６  ねじ杆
３７  支持ナット
３８  抑えナット
３９  レベル調整支持金具
４０  基礎鉄骨支承部材
４１  基礎鉄骨用高さ調整支持具
４２  アンカー材
４３  ボルト・ナット
４４  補強用プレート
４５  ナット
４６  構造用合板
４７  ウエブ
４８  ナット
５０  鉄筋コンクリート基礎
５１  土間コンクリート
５２  柱
５３  上部梁材
５５  布基礎兼土間コンクリート
５６  スチールハウス用の壁枠パネル
５７  アンカーボルト
５８  鉄筋コンクリート製腰壁
【図１】
0003762689.tif 000002
【図２】
0003762689.tif 000003
【図３】
0003762689.tif 000004
【図４】
0003762689.tif 000005
【図５】
0003762689.tif 000006
【図６】
0003762689.tif 000007
【図７】
0003762689.tif 000008
【図８】
0003762689.tif 000009
【図９】
0003762689.tif 000010
【図１０】
0003762689.tif 000011
【図１１】
0003762689.tif 000012
【図１２】
0003762689.tif 000013